(57)【要約】      （修正有）【課題】簡易構造で容易に被支持物を支持することができる便器を提供する。【解決手段】合成樹脂製のボウル７を備える。ボウル７に支持される被支持部材５を備える。ボウル７の外面に、被支持部材５を支持する支持部７２がボウル７と一体に形成される。また、支持部７２は、被支持部材５が引っ掛けられる引掛部７２０であることが好ましい。また、支持部７２が、ボウル７の外面から突出した筒状で内周面に雌ねじ部が形成されたボス部であり、被支持部材５がボス部にねじ込まれたねじによってボス部に固定されることが好ましい。【選択図】図１
2015090018.tif 000002
【特許請求の範囲】
【請求項１】
合成樹脂製のボウルと、このボウルに支持される被支持部材とを備え、前記ボウルの外面に、前記被支持部材を支持する支持部が前記ボウルと一体に形成されたことを特徴とする便器。
【請求項２】
前記支持部は、前記被支持部材が引っ掛けられる引掛部であることを特徴とする請求項１に記載の便器。
【請求項３】
前記支持部が、前記ボウルの外面から突出した筒状で内周面に雌ねじ部が形成されたボス部であり、前記被支持部材が前記雌ねじ部にねじ込まれたねじによって前記ボス部に固定されたことを特徴とする請求項１に記載の便器。
【発明の詳細な説明】
【技術分野】
【０００１】
本発明は便器に関する。
【背景技術】
【０００２】
特許文献１には、洋風便器が開示されている。
【先行技術文献】
【特許文献】
【０００３】
【特許文献１】特開２００５−４８５８４号公報
【発明の概要】
【発明が解決しようとする課題】
【０００４】
ところで、便器のボウルの外面側に他部材を取り付けて支持するにあたって、ボウルにねじやボルトを通すための貫通孔をあけることは、ボウルから水漏れが生じるため現実的ではない。そこで、ボウルの外面に接着剤を用いて他部材を取り付けることが考えられるが、手間がかかりやすい。
【０００５】
本発明は前記事情に鑑みてなされたものであって、被支持物を容易に支持することができる便器を提供することを課題とする。
【課題を解決するための手段】
【０００６】
上記課題を解決するために本発明の便器は、合成樹脂製のボウルと、このボウルに支持される被支持部材とを備え、前記ボウルの外面に、前記被支持部材を支持する支持部が前記ボウルと一体に形成されたことを特徴とする。
【０００７】
また、前記支持部は、前記被支持部材が引っ掛けられる引掛部であることが好ましい。
【０００８】
また、前記支持部が、前記ボウルの外面から突出した筒状で内周面に雌ねじ部が形成されたボス部であり、前記被支持部材が前記ボス部にねじ込まれたねじによって前記ボス部に固定されることが好ましい。
【発明の効果】
【０００９】
本発明の便器にあっては、ボウルの外面に形成された支持部を用いて被支持部材を簡単に支持することができる。また、支持部は合成樹脂製のボウルと一体に形成されるものであり、ボウルの成形と共に簡単に形成することができる。
【図面の簡単な説明】
【００１０】
【図１】本発明の実施形態の便器における第一例の支持構造を示した断面図である。
【図２】本発明の実施形態の便器の斜視図である。
【図３】同上の便器のボウル、断熱材、及び排水トラップを示した側面図である。
【図４】同上の便器のボウルに第三断熱材を取り付けた状態を示した側断面図である。
【図５】第二例の支持構造を示した断面図である。
【図６】第三例の支持構造を示した断面図である。
【発明を実施するための形態】
【００１１】
以下、添付図面に基づいて本発明の実施形態について説明する。図２には本実施形態の便器１が示されている。なお、以下では便器１に設けられた便座２０に着座した利用者から見た方向を基準にして便器１について説明する。
【００１２】
便器１は洋式便器であって、便器本体３、便座２０、及び内装部材を備えている。内装部材は便器本体３に内装されている。本実施形態では、内装部材として、支持フレーム（不図示）、排水トラップ２２（図３参照）、洗浄水供給装置（不図示）、及び断熱材５（図３参照）を備えている。支持フレームは便器本体３を支持するものであり、床上に設置される。
【００１３】
便器本体３は洋式便器の形状に形成されており、スカート６、ボウル７、及びリム８を有している。スカート６、ボウル７、及びリム８は、夫々合成樹脂製であって、例えばアクリル樹脂を射出成形することで形成される。
【００１４】
スカート６は水平断面略Ｕ字状に形成されている。ボウル７はスカート６の内側に位置し、スカート６によって外周が覆われている。リム８はボウル７上に位置し、便器本体３の上面部を構成している。
【００１５】
スカート６、ボウル７、及びリム８は、溶着又は接着により一体化されている。スカート６は、この内側に配置された前記支持フレームによって支持されている。また、前記洗浄水供給装置はボウル７内に洗浄水を供給するものであり、支持フレームで支持されている。
【００１６】
図４に示されるように、ボウル７は、上方に開口する鉢状のボウル部７０と、ボウル部７０と一体に形成された排水筒部７１を有している。排水筒部７１は、ボウル部７０の後端部且つ下端部から後方に向かって突出している。ボウル７の下部（ボウル部７０の下部と排水筒部７１とで構成された部分）は、洗浄水供給装置から供給された水を溜めるための溜水部７４となっている。
【００１７】
排水筒部７１の後端部には、図３に示される排水トラップ２２が連結されている。これにより、排水筒部７１は、床に設けられた排水管（不図示）に排水トラップ２２を介して連通する。
【００１８】
図示は省略するが、排水トラップ２２は、可撓性を有するトラップ筒と、トラップ筒を駆動するモーターを有している。トラップ筒は、一端が排水筒部７１の後端部に連結され、他端が自由端となっている。トラップ筒は、前記モーターを駆動することで、下流側端部となる自由端側の開口部を上方に向けた第一形態と、前記開口部を下方又は後方に向けた第二形態とに変形される。トラップ筒を第一形態にすることで、ボウル７の溜水部７４に水が溜められる。トラップ筒を第二形態にすることで、ボウル７内の水がトラップ筒を介して排出される。
【００１９】
ボウル７の製品裏面となる外面には、防露材として機能する断熱材５が設けられている。断熱材５は、ボウル７の下部（溜水部７４）の外面に沿って複数設けられている。
【００２０】
各断熱材５は、例えば発泡スチロール等の発泡プラスチックで形成されている。各断熱材５は、大部分が図４に示されるようにボウル７の外面から離間するように設けられている。各断熱材５の内面とボウル７の外面との間には、図４に示されるように断熱用の隙間９０が形成されている。
【００２１】
本実施形態では、図３に示されるように、断熱材５として、第一断熱材５０、第二断熱材５１、及び第三断熱材５２がボウル７の外面に設けられている。
【００２２】
第一断熱材５０は、ボウル部７０の下部の後端部の外面に沿って設けられている。第二断熱材５１は、第一断熱材５０の後方に位置している。第二断熱材５１は、排水筒部７１の上部の外面に沿って設けられている。第三断熱材５２は、第一断熱材５０よりも前方に位置する前部５２０と、第一断熱材５０及び第二断熱材５１の下方に位置する後部５２１を有している。第三断熱材５２の前部５２０は、ボウル部７０の下部の後端部よりも前方の部分に沿って設けられている。第三断熱材５２の後部５２１は、前部５２０の下端部から後方に向かって突出している。第三断熱材５２の後部５２１は、ボウル部７０の下端部の外面及び排水筒部７１の下部の外面に沿って設けられている。これら断熱材５により、ボウル７の下部（溜め水部７４）の外面は全体が被覆されている。また、これら断熱材５の外側は、スカート６によって覆われている。
【００２３】
各断熱材５は、ボウル７の外面に一体に形成された支持部７２（図１、図５、図６参照）により支持された状態で、ボウル７の外面に取り付けられている。すなわち、本実施形態では、各断熱材５がボウル部７０の支持部７２によって支持される被支持部材となっている。以下、支持部７２による断熱材５の第一例〜第三例の支持構造について順に説明する。
【００２４】
図１には、第三断熱材５２の前部の上端部を支持部７２により支持した第一例の支持構造が示されている。この支持部７２は、突部７２１を有する引掛部７２０で構成されている。
【００２５】
引掛部７２０は、ボウル部７０の外面から下方に向かって突出している。引掛部７２０の下部には、ボウル部７０の外側（外周側）に向かって突出した突部７２１が形成されている。
【００２６】
一方、第三断熱材５２の上端部は、引掛部７２０によって支持される被支持部５２２となっている。被支持部５２２（第三断熱材５２の上端部）の内面には、凹部５２３が形成されている。凹部５２３は突部７２１と合致する角溝状に形成されている。
【００２７】
凹部５２３には突部７２１が嵌め込まれ、被支持部５２２は引掛部７２０の突部７２１の上面に引っ掛けられる。これにより、被支持部５２２は引掛部７２０によって吊り下げられた状態で保持される。
【００２８】
このように第三断熱材５２の被支持部５２２がボウル７の引掛部７２０に引っ掛けられた状態では、被支持部５２２の上端面がボウル部７０の外面に沿って面接触する。また、被支持部５２２における凹部５２３上方の内面が、引掛部７２０における突部７２１上方の外面に当たって接する。
【００２９】
なお、各断熱材５は、本例の支持構造単独で支持されるものであってもよいし、本例の支持構造と他の支持構造とで支持されるものであってもよい。ここで、前記他の支持構造は、後述する第二例の支持構造、第三例の支持構造、接着剤やテープを用いた支持構造、あるいはこれらの組み合わせのいずれであってもよい。また、第一断熱材５０、第二断熱材５１、及び第三断熱材５２のうち、１又２の断熱材５のみを本例の支持構造で支持しても構わない。
【００３０】
次に第二例の支持構造について説明する。なお、以下の説明では第一例の支持構造と同一の構成については同一の番号を付し、重複する説明は省略する。
【００３１】
図５には第二例の支持構造が示されている。第二例の支持構造では、第三断熱材５２の被支持部５２２に、凹部５２３に代えて突出部５２４が形成されている。突出部５２４は、第三断熱材５２の上端部（被支持部５２２）から内周側に向けて突出している。
【００３２】
突出部５２４は、引掛部７２０の突部７２１とこの上方に位置するボウル部７０の外面との間に形成された凹状部分７３に嵌め込まれる。これにより、被支持部５２２は引掛部７２０の突部７２１の上面に引っ掛けられる。
【００３３】
このように第三断熱材５２の被支持部５２２がボウル７の引掛部７２０に引っ掛けられた状態では、第三断熱材５２の上端面とこれに連続する突出部５２４の上面とで構成された被支持部５２２の上面が、ボウル部７０の外面に沿って面接触する。また、突出部５２４の先端面が引掛部７２０における突部７２１上方の外面に当たって接する。
【００３４】
なお、各断熱材５は、本例の支持構造単独で支持されるものであってもよいし、本例の支持構造と他の支持構造とで支持されるものであってもよい。ここで、前記他の支持構造は、後述する第三の支持構造、接着剤やテープを用いた支持構造、あるいはこれらの組み合わせのいずれであってもよい。また、第一断熱材５０、第二断熱材５１、及び第三断熱材５２のうち、１又２の断熱材５のみを本例の支持構造で支持しても構わない。
【００３５】
次に第三例の支持構造について説明する。なお、以下の説明では第一例と同一の構成については同一の番号を付し、重複する説明は省略する。
【００３６】
図６には第三例の支持構造が示されている。第三例の支持構造では、支持部７２がボウル７の外面から突出した筒状のボス部７２２で構成されている。ボス部７２２は、ボウル部７０の外面から下方に向かって突出している。ボス部７２２は円筒状に形成され、その内側には下方に開口する円形の穴が形成されている。ボス部７２２の穴の内周面には、雌ねじ部７２３が形成されている。
【００３７】
一方、被支持部５２２には、凹部５２３に代えて、第三断熱材５２の内周側に向かって突出するように屈曲した屈曲部５２５が形成されている。屈曲部５２５は、縦片部５２６と、縦片部５２６の上端部から第三断熱材５２の外周側に向かって突出した横片部５２７とで構成されている。横片部５２７には、上下方向に貫通するねじ用孔５２８が形成されている。
【００３８】
屈曲部５２５の横片部５２７は、ボス部７２２の下方に配置される。屈曲部５２５のねじ用孔５２８には、断熱材５の外面側となる下側からねじ９１が通される。ねじ９１の雄ねじ部９１０は、ボス部７２２の雌ねじ部７２３にねじ込まれる。これにより、被支持部５２２はボス部７２２にねじ止めされ、被支持部５２２がねじ９１を介してボス部７２２に吊り下げられた状態で保持される。
【００３９】
なお、各断熱材５は、本例の支持構造単独で支持されるものであってもよいし、本例の支持構造と、接着剤やテープを用いた支持構造とで支持されるものであってもよい。また、第一断熱材５０、第二断熱材５１、及び第三断熱材５２のうち、１又２の断熱材５のみを本例の支持構造で支持しても構わない。
【００４０】
以上説明した本実施形態の便器１は、合成樹脂製のボウル７と、ボウル７に支持される被支持部材（断熱材５）とを備え、ボウル７の外面に、被支持部材を支持する支持部７２がボウル７と一体に形成されている。
【００４１】
このような便器１は、ボウル７の外面に形成された支持部７２を用いて被支持部材を簡単に支持することができる。また、ボウル７には被支持部材を支持するためのねじやボルトを通すための貫通孔をあける必要がなく、貫通孔からの水漏れを防止する必要がない。このため、簡易構造の便器１とすることができる。また、支持部７２は合成樹脂製のボウル７の成形と共に簡単に形成することができる。
【００４２】
また、支持部７２は、図１に示される支持部７２や、図５に示される支持部７２のように、被支持部材が引っ掛けられる引掛部７２０であることが好ましい。このようにすると、被支持部材を引掛部７２０に引っ掛けるだけで簡単に被支持部材を支持することができる。
【００４３】
また、支持部７２は、図６に示される支持部７２のように、ボウル７の外面から突出した筒状で内周面に雌ねじ部７２３が形成されたボス部７２２であり、被支持部材が雌ねじ部７２３にねじ込まれたねじによってボス部７２２に固定されることが好ましい。このようにすると、被支持部材に通したねじ９１をボス部７２２の雌ねじ部７２３にねじ込むことで、簡単に被支持部材を支持することができる。
【００４４】
なお、本実施形態ではボウル部７０に支持される被支持部材を断熱材５としたが、被支持部材はその他の便器付属品であってもよい。また、本発明は前記実施形態に限られるものではなく、本発明の意図する範囲内であれば、適宜設計変更可能である。
【符号の説明】
【００４５】
１  便器
５  断熱材（被支持部材）
７  ボウル
７２  支持部
７２０  引掛部
７２２  ボス部
７２３  雌ねじ部
９１  ねじ
【図１】
2015090018.tif 000003
【図２】
2015090018.tif 000004
【図３】
2015090018.tif 000005
【図４】
2015090018.tif 000006
【図５】
2015090018.tif 000007
【図６】
2015090018.tif 000008